(57)【要約】【課題】  シャッターカーテンの全閉位置や全開位置での位置決めを容易且つ正確に行うことができる電動シャッターの駆動制御装置を提供する。【解決手段】  作動制御部は、設定操作スイッチが操作された際に初期設定モードとなり、その初期設定モードにおいては、モータを自動的に駆動させ、該モータの回転に応じて出力されるパルス信号のパルス数を、シャッターカーテンの全閉位置を基準として計数する。そして、作動制御部は、シャッターカーテンの全開位置をモータの駆動状態に基づいて判断し、パルス信号の全開位置における計数値を記録する計数値記録処理とを行うことにより、前記シャッターカーテンの全開位置及び全閉位置と対応する計数値を初期設定値として自動的に設定する。また、作動制御部は、シャッターカーテンが全開位置から全閉位置となるようにモータを駆動させ、その間における該モータの作動電流値Ｃを基準電流値Ｃｂに更新する。【選択図】      図３
2005083093.tif 000002
【特許請求の範囲】
【請求項１】
シャッターカーテンを移動させるモータの駆動を制御するとともに、閉動作時における該シャッターカーテンによる異物の挟み込みを前記モータの作動電流値に基づいて検出する挟み込み検出機能を有する電動シャッターの駆動制御装置であって、
所定の操作が行われた際に初期設定モードとなり、前記モータを自動的に駆動させ、
前記モータの回転に応じて出力されるパルス信号のパルス数を、前記シャッターカーテンの全開位置及び全閉位置のうちの一方の位置からなる第１位置を基準として計数する計数処理と、
前記第１位置とは逆の位置からなる第２位置を、前記モータの駆動状態に基づいて判断する位置判断処理と、
前記パルス信号の前記第２位置における計数値を記録する計数値記録処理とを行うことにより、前記シャッターカーテンの全開位置及び全閉位置と対応する計数値を初期設定値として自動的に設定するとともに、
前記シャッターカーテンが少なくとも全開位置から全閉位置となるように前記モータを駆動させ、その間における該モータの作動電流値を記録する電流値記録処理を行うことにより、前記挟み込み検出のための基準電流値を設定する自動初期設定手段を備えていることを特徴とする電動シャッターの駆動制御装置。
【請求項２】
前記初期設定モードにおいて前記自動初期設定手段は、前記シャッターカーテンが全閉位置から全開位置となるように前記モータを駆動させ、前記計数処理時にあっては前記シャッターカーテンの全閉位置を基準として前記パルス数を計数し、前記位置判断処理時にあっては、所定時間内における前記パルス信号のパルス数が予め設定された数値よりも少なくなったときに、そのときのシャッターカーテンの位置を全開位置として判断することを特徴とする請求項１に記載の電動シャッターの駆動制御装置。
【請求項３】
シャッターカーテンを移動させるモータの駆動を制御するとともに、閉動作時における該シャッターカーテンによる異物の挟み込みを前記モータの作動電流値に基づいて検出する挟み込み検出機能を有する電動シャッターの駆動制御装置であって、
前記シャッターカーテンの閉動作時に前記モータの作動電流値を検出する電流値検出手段と、
前記シャッターカーテンの全開位置から全閉位置までの動作時毎における前記モータの作動電流値を記録する記録手段と、
前記記録手段に記録された前記モータの最新の作動電流値に基づいて、前記シャッターカーテンによる異物の挟み込みの有無を検出する挟持有無検出手段とを備えることを特徴とする電動シャッターの駆動制御装置。
【請求項４】
前記シャッターカーテンの全開位置から全閉位置までの動作時に前記シャッターカーテンによる異物の挟み込みが検出された際には、そのときのモータの作動電流値が前記記録手段に記録されないことを特徴とする請求項３に記載の電動シャッターの駆動制御装置。
【請求項５】
シャッターカーテンを移動させるモータの駆動を制御する電動シャッターの駆動制御装置であって、
前記モータの回転に応じて出力されるパルス信号のパルス数を、前記シャッターカーテンの全開位置及び全閉位置のうちの一方の位置からなる第１位置を基準として計数する計数手段と、
前記第１位置とは逆の位置からなる第２位置を、前記モータの駆動状態に基づいて判断する位置判断手段と、
前記位置判断手段によって判断された前記パルス信号の前記第２位置での計数値が予め設定された初期設定値と異なる場合に、該計数値を該初期設定値に補正する補正処理を行う計数値補正手段とを備えることを特徴とする電動シャッターの駆動制御装置。
【請求項６】
前記計数値補正手段は、前記計数値が前記初期設定値よりも大きい場合に前記補正処理を行うとともに、該計数値が前記初期設定値よりも小さい場合にあっては、その差分が所定の許容値内である場合に前記補正処理を行い、該差分が該許容値外である場合には前記シャッターカーテンの移動に異常が生じたと判断することを特徴とする請求項５に記載の電動シャッターの駆動制御装置。
【請求項７】
シャッターカーテンを移動させるモータの駆動を制御するとともに、閉動作時における該シャッターカーテンによる異物の挟み込みを前記モータの作動電流値に基づいて検出する挟み込み検出機能を有する電動シャッターにおける初期設定方法であって、
所定の操作が行われた際に、前記シャッターカーテンが全閉位置から全開位置となるように前記モータを自動的に駆動させ、前記モータの回転に応じて出力されるパルス信号のパルス数を、前記シャッターカーテンの全閉位置を基準として計数し、且つ該シャッターカーテンの全開位置を前記モータの駆動状態に基づいて判断して、前記パルス信号の全開位置における計数値を記録することにより、前記シャッターカーテンの全開位置及び全閉位置と対応する計数値を初期設定値として自動的に設定するとともに、
前記シャッターカーテンが少なくとも全開位置から全閉位置となるように前記モータを駆動させ、その間における該モータの作動電流値を記録することにより、前記挟み込み検出のための基準電流値を自動的に設定することを特徴とする電動シャッターの初期設定方法。
【請求項８】
シャッターカーテンを移動させるモータの駆動を制御する電動シャッターの駆動制御方法であって、
前記モータの回転に応じて出力されるパルス信号のパルス数を、前記シャッターカーテンの全開位置及び全閉位置のうちの一方の位置からなる第１位置を基準として計数しつつ、前記第１位置とは逆の位置からなる第２位置を、前記モータの駆動状態に基づいて判断し、
前記パルス信号の前記第２位置での計数値が予め設定された初期設定値と異なる場合に、該計数値を該初期設定値に補正することを特徴とする電動シャッターの駆動制御方法。
【発明の詳細な説明】
【技術分野】
【０００１】
本発明は、シャッターカーテンを全開位置及び全閉位置に自動的に移動させる電動シャッターの駆動制御装置、電動シャッターの初期設定方法、及び、電動シャッターの駆動制御方法に関するものである。
【背景技術】
【０００２】
従来、電動シャッターの駆動制御装置として、例えば特許文献１に記載される電動シャッターの制御装置が提案されている。
この電動シャッターの制御装置は、シャッターカーテンを移動させるモータにロータリエンコーダが連結され、そのロータリエンコーダから発生されるパルスの数を計数するようになっている。また、制御装置に設けられたＲＯＭ内には、シャッターカーテンの最大移動量のデータ（最大パルス数）が予め記録されている。そして、該制御装置は、パルスの計数値と、所定時間内に発生するパルス数とに基づいて、シャッターカーテンの上限（全開）位置及び下限（全閉）位置を判断するようになっている。このため、該電動シャッターの制御装置によれば、シャッターカーテンの上限位置及び下限位置を、リミットスイッチを用いることなく認識することができる。
【０００３】
また、この電動シャッターの制御装置では、停電状態から復電した後に閉スイッチまたは開スイッチが操作されると、原点位置データが自動的に再設定されるようになっている。このため、停電中のシャッターカーテンの移動によって該シャッターカーテンの実位置と計数値とにズレが生じてしまった場合でも、そのズレが自動的に補正される。
【特許文献１】実開平５−２８８９７号公報
【発明の開示】
【発明が解決しようとする課題】
【０００４】
ところで、こうした従来の電動シャッターの制御装置では、シャッターカーテンの最大移動量を予め設定しておく必要がある。しかし、シャッターカーテンの最大移動量は実際に設置される箇所毎に異なるため、予め設定された最大移動量と実際の最大移動量とにズレが生じるおそれがある。よって、この電動シャッターの制御装置では、全閉位置や全開位置での位置決めを正確に行うことができなくなってしまうおそれがある。
【０００５】
また、シャッターカーテンを移動させるモータの回転特性は、経年変化に伴うシャッターカーテンの摺動摩擦の増減やモータの劣化などを要因として変化するおそれがある。このため、シャッターカーテンに異物が挟み込まれていない状態であっても、所定時間内に発生するパルス数が減少してしまうおそれがある。よって、従来の電動シャッターの制御装置では、シャッターカーテンに異物が挟み込まれていない状態であるにも拘わらず、異物が挟み込まれていると誤判断してしまうおそれがある。
【０００６】
しかも、従来の電動シャッターの制御装置では、シャッターカーテンの開閉動作を繰り返すと、全開位置または全閉位置において、パルスの計数値と予め設定されたパルス数との間にズレが生じるおそれがあることが本願の発明者によって確認されている。このため、本来の全開位置や全閉位置でシャッターカーテンが停止しなくなってしまうおそれがある。
【０００７】
ところで、一般に電動シャッターにおいては、シャッターカーテンによる異物の挟み込みを防止するために、挟み込み防止機能が設けられている。そして、前記従来の電動シャッターの制御装置では、こうした挟み込み防止機能についての具体的な記述はなされていないものの、「所定時間内に発生するパルス数が少なくなるため上下限位置か否かを判断することができる。」との記載がある。よって、該従来の電動シャッターの制御装置によれば、明らかに上下限位置でない箇所において所定時間内に発生するパルス数が少なくなった場合に、シャッターカーテンによって異物が挟み込まれたと判断することができ得る。近年では、シャッターカーテンに挟み込まれた異物の保護を図るために、比較的小さな力で異物が挟み込まれた時点で挟み込みを検出することが要求されている。しかし、所定時間内に発生するパルス数に基づいた挟み込み検出では、シャッターカーテンに加わる微小な荷重の変化を検出しにくいため、低い荷重での挟み込み検出が困難である。よって、該要求に充分に応えることが困難である。
【０００８】
本発明はこうした実情に鑑みてなされたものであり、その目的は、シャッターカーテンの全閉位置や全開位置での位置決めを容易且つ正確に行うことができる電動シャッターの駆動制御装置、電動シャッターの初期設定方法、及び、電動シャッターの駆動制御方法を提供することにある。
【０００９】
また、本発明の他の目的は、低荷重での挟み込み検出を行うことができるとともに、経年変化に伴って生じる挟み込みの誤検出を生じ難くすることができる電動シャッターの駆動制御装置を提供することにある。
【課題を解決するための手段】
【００１０】
上記の課題を解決するために、請求項１に記載の発明では、シャッターカーテンを移動させるモータの駆動を制御するとともに、閉動作時における該シャッターカーテンによる異物の挟み込みを前記モータの作動電流値に基づいて検出する挟み込み検出機能を有する電動シャッターの駆動制御装置であって、所定の操作が行われた際に初期設定モードとなり、前記モータを自動的に駆動させ、前記モータの回転に応じて出力されるパルス信号のパルス数を、前記シャッターカーテンの全開位置及び全閉位置のうちの一方の位置からなる第１位置を基準として計数する計数処理と、前記第１位置とは逆の位置からなる第２位置を、前記モータの駆動状態に基づいて判断する位置判断処理と、前記パルス信号の前記第２位置における計数値を記録する計数値記録処理とを行うことにより、前記シャッターカーテンの全開位置及び全閉位置と対応する計数値を初期設定値として自動的に設定するとともに、前記シャッターカーテンが少なくとも全開位置から全閉位置となるように前記モータを駆動させ、その間における該モータの作動電流値を記録する電流値記録処理を行うことにより、前記挟み込み検出のための基準電流値を設定する自動初期設定手段を備えていることを要旨とする。
【００１１】
請求項２に記載の発明では、請求項１に記載の電動シャッターの駆動制御装置において、前記初期設定モードにおいて前記自動初期設定手段は、前記シャッターカーテンが全閉位置から全開位置となるように前記モータを駆動させ、前記計数処理時にあっては前記シャッターカーテンの全閉位置を基準として前記パルス数を計数し、前記位置判断処理時にあっては、所定時間内における前記パルス信号のパルス数が予め設定された数値よりも少なくなったときに、そのときのシャッターカーテンの位置を全開位置として判断することを要旨とする。
【００１２】
請求項３に記載の発明では、シャッターカーテンを移動させるモータの駆動を制御するとともに、閉動作時における該シャッターカーテンによる異物の挟み込みを前記モータの作動電流値に基づいて検出する挟み込み検出機能を有する電動シャッターの駆動制御装置であって、前記シャッターカーテンの閉動作時に前記モータの作動電流値を検出する電流値検出手段と、前記シャッターカーテンの全開位置から全閉位置までの動作時毎における前記モータの作動電流値を記録する記録手段と、前記記録手段に記録された前記モータの最新の作動電流値に基づいて、前記シャッターカーテンによる異物の挟み込みの有無を検出する挟持有無検出手段とを備えることを要旨とする。
【００１３】
請求項４に記載の発明では、請求項３に記載の電動シャッターの駆動制御装置において、前記シャッターカーテンの全開位置から全閉位置までの動作時に前記シャッターカーテンによる異物の挟み込みが検出された際には、そのときのモータの作動電流値が前記記録手段に記録されないことを要旨とする。
【００１４】
請求項５に記載の発明では、シャッターカーテンを移動させるモータの駆動を制御する電動シャッターの駆動制御装置であって、前記モータの回転に応じて出力されるパルス信号のパルス数を、前記シャッターカーテンの全開位置及び全閉位置のうちの一方の位置からなる第１位置を基準として計数する計数手段と、前記第１位置とは逆の位置からなる第２位置を、前記モータの駆動状態に基づいて判断する位置判断手段と、前記位置判断手段によって判断された前記パルス信号の前記第２位置での計数値が予め設定された初期設定値と異なる場合に、該計数値を該初期設定値に補正する補正処理を行う計数値補正手段とを備えることを要旨とする。
【００１５】
請求項６に記載の発明では、請求項５に記載の電動シャッターの駆動制御装置において、前記計数値補正手段は、前記計数値が前記初期設定値よりも大きい場合に前記補正処理を行うとともに、該計数値が前記初期設定値よりも小さい場合にあっては、その差分が所定の許容値内である場合に前記補正処理を行い、該差分が該許容値外である場合には前記シャッターカーテンの移動に異常が生じたと判断することを要旨とする。
【００１６】
請求項７に記載の発明では、シャッターカーテンを移動させるモータの駆動を制御するとともに、閉動作時における該シャッターカーテンによる異物の挟み込みを前記モータの作動電流値に基づいて検出する挟み込み検出機能を有する電動シャッターにおける初期設定方法であって、所定の操作が行われた際に、前記シャッターカーテンが全閉位置から全開位置となるように前記モータを自動的に駆動させ、前記モータの回転に応じて出力されるパルス信号のパルス数を、前記シャッターカーテンの全閉位置を基準として計数し、且つ該シャッターカーテンの全開位置を前記モータの駆動状態に基づいて判断して、前記パルス信号の全開位置における計数値を記録することにより、前記シャッターカーテンの全開位置及び全閉位置と対応する計数値を初期設定値として自動的に設定するとともに、前記シャッターカーテンが少なくとも全開位置から全閉位置となるように前記モータを駆動させ、その間における該モータの作動電流値を記録することにより、前記挟み込み検出のための基準電流値を自動的に設定することを要旨とする。
【００１７】
請求項８に記載の発明では、シャッターカーテンを移動させるモータの駆動を制御する電動シャッターの駆動制御方法であって、前記モータの回転に応じて出力されるパルス信号のパルス数を、前記シャッターカーテンの全開位置及び全閉位置のうちの一方の位置からなる第１位置を基準として計数しつつ、前記第１位置とは逆の位置からなる第２位置を、前記モータの駆動状態に基づいて判断し、前記パルス信号の前記第２位置での計数値が予め設定された初期設定値と異なる場合に、該計数値を該初期設定値に補正することを要旨とする。
【００１８】
以下、本発明の「作用」について説明する。
請求項１，７に記載の発明によると、シャッターカーテンの全開位置及び全閉位置は、シャッターカーテンを移動させるモータの回転に応じて出力されるパルス信号のパルス数に基づいて設定される。そして、該シャッターカーテンの全開位置及び全閉位置は、モータの駆動によって自動的に設定される。このため、シャッターカーテンの全開位置及び全閉位置を設定するためのリミットスイッチなどが不要となるとともに、該設定作業を容易に行うことができる。また、シャッターカーテンによる異物の挟み込みは該モータの作動電流値に基づいて検出されるため、モータに加わる負荷の微少な変化を容易に検出することが可能となる。そして、こうした挟み込み検出のための基準電流値は、シャッターカーテンが全開位置から全閉位置となるようにモータが自動的に駆動されることにより自動的に設定されるため、基準電流値の設定作業を容易に行うことができる。よって、シャッターカーテンの全閉位置や全開位置での位置決めを容易且つ正確に行うことができる。
【００１９】
請求項２に記載の発明によると、シャッターカーテンが全閉位置から全開位置となるようにモータが駆動され、該シャッターカーテンの全閉位置を基準としてパルス数が計数される。そして、シャッターカーテンが全開位置であるか否かの判断は、所定時間内におけるパルス信号のパルス数が予め設定された数値よりも少なくなったか否かに基づいて行われる。このため、シャッターカーテンが全閉位置から全開位置に移動されることによって全開位置及び全閉位置と対応するパルス数の値が初期設定値として設定され、該シャッターカーテンが全開位置から全閉位置に移動されることによって挟み込み検出のための基準電流値が設定される。
【００２０】
請求項３に記載の発明によると、シャッターカーテンの全開位置から全閉位置までの動作時毎にモータの作動電流値が記録され、その記録されたモータの最新の作動電流値に基づいてシャッターカーテンによる異物の挟み込みの有無が検出される。このため、挟持有無検出を行うための基準電流値となるモータの作動電流値が経年変化によって変化した場合でも、挟み込みの誤検出を生じ難くなる。
【００２１】
請求項４に記載の発明によると、異物を挟み込んだ状態でのモータの作動電流値が次回の挟持有無検出時の基準電流値になってしまうことが防止されるため、挟持有無検出の精度を損なうことが抑止される。
【００２２】
請求項５，８に記載の発明によると、シャッターカーテンの開閉動作によって第２位置でのパルス数の計数値が初期設定値と異なった場合には、該計数値が初期設定値に補正される。このため、パルス数の計数値に基づいて第１位置の位置決めを行う場合に、第１位置の位置ズレが生じにくくなる。例えば、第１位置を全閉位置として設定し、第２位置を全開位置として設定した場合、全閉位置の位置決めの際に、実際の全閉位置に満たない位置で位置決めされてしまったり、実際には全閉位置であるにも拘わらず閉動作が継続されてしまったりすることがない。
【００２３】
請求項６に記載の発明によると、計数値を初期設定値に補正すべきであるか、シャッターカーテンの移動に異常が生じたと判断すべきであるかが確実に認識可能となる。
【発明の効果】
【００２４】
請求項１，２，５〜８に記載の発明によれば、シャッターカーテンの全閉位置や全開位置での位置決めを容易且つ正確に行うことができる。
請求項３，４に記載の発明によれば、低荷重での挟み込み検出を行うことができるとともに、経年変化に伴って生じる挟み込みの誤検出を生じ難くすることができる。
【発明を実施するための最良の形態】
【００２５】
以下、本発明を具体化した一実施形態を図１〜図５に基づき詳細に説明する。
図１に示すように、電動シャッター１は、ガレージの入り口など、設置対象となる開口部２の屋内側の上部に配設されている。電動シャッター１の筐体１ａ内には巻取シャフト３が設けられ、この巻取シャフト３にはシャッターカーテン４の上端が連結されている。これによりシャッターカーテン４は巻取シャフト３に巻回可能となっている。また、シャッターカーテン４は筐体１ａの下端から下方に突出可能となっている。開口部２の両内側部には断面略「コ」字状のガイドレール５が設けられ、シャッターカーテン４は、両側縁がガイドレール５に案内された状態で上下動するようになっている。このため、シャッターカーテン４の下端が床面６に達する位置のときに全閉状態となり、該下端が筐体１ａの下面に達する位置のときに全開状態となる。
【００２６】
また、巻取シャフト３の一端には、ギアを介してモータ７の回転軸が連結されている。このため、モータ７の回転に伴って巻取シャフト３も回転され、シャッターカーテン４が巻取シャフト３に巻回されたり巻き戻されたりする。これにより、シャッターカーテン４が上下動される。モータ７は、制御装置８に電気的に接続され、該制御装置８から出力される駆動信号に基づいて正転・逆転するようになっている。
【００２７】
制御装置８には操作スイッチ９が電気的に接続され、この操作スイッチ９は、屋内側における開口部２の近辺（ここでは側方）に配設されている。操作スイッチ９は、開操作スイッチ９ａ、閉操作スイッチ９ｂ及び設定操作スイッチ９ｃが設けられており、各スイッチ９ａ〜９ｃを押圧操作すると、対応する押圧操作信号が制御装置８（図２に示す作動制御部１１）に入力されるようになっている。具体的には、開操作スイッチ９ａを押圧操作すると開操作信号が制御装置８に入力され、閉操作スイッチ９ｂを操作すると閉操作信号が制御装置８に入力され、設定操作スイッチ９ｃを押圧操作すると設定操作信号が制御装置８に入力されるようになっている。なお、本実施形態において設定操作スイッチ９ｃは、カバーによって覆われるなどして誤操作しにくくなっている。
【００２８】
次に、モータ７及び制御装置８の詳細な電気的構成について説明する。
図２に示すように、制御装置８は、自動初期設定手段、計数手段、挟持有無検出手段、位置判断手段及び計数値補正手段としての作動制御部１１とモータドライバ１２とを備えている。この制御装置８は、図示しない電源装置から電力供給されるようになっている。
【００２９】
作動制御部１１は、ＣＰＵ、ＲＯＭ、ＲＡＭ等からなるＣＰＵユニットであり、記録手段としての不揮発性のメモリ１１ａを備えている。このメモリ１１ａには、後記する電流検出器１５からの作動電流値に基づいて挟持有無を判定するための閾値ＴＨや、全開位置（上限位置）を判断するための規定値ＰＨや、全閉位置（下限位置）の判断に用いられる許容値ＰＴが記録されている。また、メモリ１１ａは、後記するパルスセンサ１６から入力されるパルス信号の計数値や、電流値検出手段としての電流検出器１５から入力されるモータ７の作動電流値を記録可能となっている。
【００３０】
作動制御部１１は、入力端子ＩＮ、第１出力端子ＯＵＴ１及び第２出力端子ＯＵＴ２を備え、入力端子ＩＮには前記操作スイッチ９が電気的に接続されている。一方、作動制御部１１の各出力端子ＯＵＴ１，ＯＵＴ２には、モータドライバ１２が電気的に接続されている。モータドライバ１２は、第１スイッチング素子ＴＲ１、第２スイッチング素子ＴＲ２、第１リレー１３及び第２リレー１４を備えている。第１スイッチング素子ＴＲ１及び第２スイッチング素子ＴＲ２は、本実施形態ではＮＰＮトランジスタによって構成されている。そして、第１スイッチング素子ＴＲ１のベース端子は前記第１出力端子ＯＵＴ１に接続され、第２スイッチング素子ＴＲ２のベース端子は前記第２出力端子ＯＵＴ２に接続されている。両スイッチング素子ＴＲ１，ＴＲ２のエミッタ端子は接地されている。また、第１スイッチング素子ＴＲ１のコレクタ端子は第１リレー１３のコイルＬ１の一端に接続され、第２スイッチング素子ＴＲ２のコレクタ端子は第２リレー１４のコイルＬ２の一端に接続され、各コイルＬ１，Ｌ２の他端は前記電源装置に接続されている。
【００３１】
第１リレー１３及び第２リレー１４はそれぞれｃ接点構造をなし、第１リレー１３のａ接点側の固定接点ＣＰ１及び第２リレー１４のａ接点側の固定接点ＣＰ４は、前記電源装置に接続されている。また、第１リレー１３のｂ接点側の固定接点ＣＰ２及び第２リレー１４のｂ接点側の固定接点ＣＰ５は、接地されている。そして、第１リレー１３の可動接点ＣＰ３はモータ７の第１端子に接続され、第２リレー１４の可動接点ＣＰ６は、電流検出器１５を介してモータ７の第２端子に接続されている。よって、モータ７は、両リレー１３，１４が共にＯＦＦ状態（非励磁状態）である場合には電力が供給されないため駆動しない。また、モータ７は、第１リレー１３がＯＮ状態（励磁状態）且つ第２リレー１４がＯＦＦ状態の場合には、第１リレー１３を介して電力が供給されるため、正回転駆動してシャッターカーテン４を上昇（開動作）させる。これに対し、モータ７は、第１リレー１３がＯＦＦ状態且つ第２リレー１４がＯＮ状態の場合には、第２リレー１４を介して電力が供給されるため、逆回転駆動してシャッターカーテン４を下降（閉動作）させる。
【００３２】
電流検出器１５は、モータ７に流れる電流（作動電流）を検出し、その作動電流値を作動制御部１１に入力するようになっている。
モータ７の近辺には、該モータ７の回転軸の回転状態を検出し、該回転軸の回転に伴ってパルス信号を出力するパルスセンサ１６が配設されている。このパルスセンサ１６は、ホール素子（ホールＩＣ）を用いて構成された公知のセンサであり、モータ７の回転軸の回転数に比例した数のパルス信号を出力する。詳しくは、モータ７の回転軸には極性の異なる磁石（磁極）が所定間隔で着磁されており、パルスセンサ１６は、回転軸の回転により生じる磁界変化をピックアップしてパルスを出力する。こうしたパルスセンサ１６の出力端子は、作動制御部１１に電気的に接続されている。このため、パルスセンサ１６から出力されるパルス信号は、作動制御部１１に入力される。なお、パルスセンサ１６は、ホールＩＣを用いて構成されたものに限らず、ロータリエンコーダを用いて構成されたものであってもよい。
【００３３】
このように構成された制御装置８において、作動制御部１１は、通常、両出力端子ＯＵＴ１，ＯＵＴ２からＬレベルの信号を出力した状態となっている。そして、操作スイッチ９から前記押圧操作信号が入力されると、作動制御部１１は、モータ７の駆動制御を行う。詳しくは、開操作スイッチ９ａが押圧操作されて入力端子ＩＮに開操作信号が入力されると、作動制御部１１は、第１出力端子ＯＵＴ１からＨレベルの信号を出力して第１スイッチング素子ＴＲ１を作動させる。これにより、第１リレー１３がＯＮ状態となり、モータ７が正回転駆動してシャッターカーテン４が自動的に開動作される。一方、閉操作スイッチ９ｂが押圧操作されて入力端子ＩＮに閉操作信号が入力されると、作動制御部１１は、第２出力端子ＯＵＴ２からＨレベルの信号を出力して第２スイッチング素子ＴＲ２を作動させる。これにより、第２リレー１４がＯＮ状態となり、モータ７が逆回転駆動してシャッターカーテン４が自動的に閉動作される。こうした作動制御部１１は、開操作信号または閉操作信号が一旦入力されると、シャッターカーテン４が全開または全閉状態になるまでの間はモータ７を駆動し続ける。また、モータ７の動作中において作動制御部１１は、該パルス信号のパルス数を計数するようになっている。
【００３４】
ところで、作動制御部１１は、シャッターカーテン４の全開位置（上限位置）及び全閉位置（下限位置）を、前記パルス信号の計数値に基づいて認識するようになっている。また、シャッターカーテン４の閉動作時において、作動制御部１１は、モータ７の作動電流値に基づいて、該シャッターカーテン４による異物の挟み込みの有無を検出する挟持有無検出を行うようになっている。このため、このように構成された電動シャッター１を開口部２に配設した後においては、該開口部２に適応するシャッターカーテン４の上限位置及び下限位置を設定するとともに、基準電流値となるモータ７の作動電流値を設定するための初期設定作業が必要となる。そこで、作動制御部１１は、こうした初期設定作業を自動的に行うための自動初期設定制御を行うようになっている。また、初期設定完了後の通常動作時において、作動制御部１１は、シャッターカーテン４の挟持有無検出制御と、上限位置におけるパルス数の計数値を補正する計数値補正制御とを行うようになっている。そこで、作動制御部１１によって行われる各種制御を、図３〜図５に示すフローチャートを用いて詳細に説明する。なお、各制御を行うための制御プログラムは、作動制御部１１を構成するＲＯＭ内に記録されている。
【００３５】
＜１＞自動初期設定制御
自動初期設定制御にあたり、作業者は、まずシャッターカーテン４を床面６に当接または近接する位置（全閉位置、下限位置）まで移動させ、設定操作スイッチ９ｃを押圧操作する。これにより、作動制御部１１は、自動初期設定モードに切り換わり、図３に示す自動初期設定処理を開始する。
【００３６】
自動初期設定処理が開始されると、ステップＳ１において作動制御部１１は、第１出力端子ＯＵＴ１からＨレベルの信号を出力してモータ７を正回転させ、シャッターカーテン４を開方向へ移動（開動作）させる。
【００３７】
そして、ステップＳ２において作動制御部１１は、パルスセンサ１６から入力されるパルス信号のパルス数を計数する計数処理を行う。具体的には、作動制御部１１は、下限位置でのパルス数（＝「０」）を初期設定値として、該パルス数を加算していく。
【００３８】
ステップＳ３において作動制御部１１は、所定時間（例えば２秒間）内におけるパルス数Ｐｃが、メモリ１１ａに記録されている前記規定値ＰＨよりも小さいか否かを判断する。そして、作動制御部１１は、該パルス数Ｐｃが規定値ＰＨよりも小さくなったと判断すると、シャッターカーテン４が全開位置（上限位置）に達したと判断してステップＳ４の処理へ移行し、モータ７の駆動を停止させる。すなわち、このステップＳ３において作動制御部１１は、シャッターカーテン４の位置判断処理を行う。なお、作動制御部１１は、該パルス数Ｐｃが規定値ＰＨよりも小さくなったと判断するまでは、シャッターカーテン４が全開位置に達していないと判断してモータ７の駆動を継続する。
【００３９】
ステップＳ５において作動制御部１１は、モータ７の停止時でのパルス信号の計数値を上限値として判断し、その計数値をメモリ１１ａに記録する。つまり、このステップＳ５において作動制御部１１は、シャッターカーテン４の全開位置と対応するパルス数の値を初期設定値として設定する計数値記録処理を行う。
【００４０】
その後、ステップＳ６において作動制御部１１は、第２出力端子ＯＵＴ２からＨレベルの信号を出力してモータ７を逆回転させ、シャッターカーテン４を閉方向へ移動（閉動作）させる。
【００４１】
そして、ステップＳ７において作動制御部１１は、パルスセンサ１６から入力されるパルス信号のパルス数を計数する。ここで、作動制御部１１は、メモリ１１ａに記録した上限位置でのパルス信号の計数値から減算していく。また、ステップＳ８において作動制御部１１は、所定時間ΔＴ（本実施形態ではΔＴ＝１０ミリ秒）毎に、電流検出器１５から入力されるモータ７の作動電流値をメモリ１１ａに記録する。そして、作動制御部１１は、ここで検出した作動電流値を基準電流値Ｃｂとして認識する。
【００４２】
その後、ステップＳ９において作動制御部１１は、パルス信号の計数値が基準値（＝「０」）となった時点でモータ７の駆動を停止させて、ここでの処理を一旦終了する。
よって、この自動初期設定制御では、設定操作スイッチ９ｃを押圧操作するだけで、電動シャッター１の初期設定を自動的に行うことができる。
【００４３】
＜２＞挟持有無検出制御
シャッターカーテン４の閉動作時には、作動制御部１１は、図４に示すフローチャートに従って挟持有無検出制御のための処理を行う。なお、この処理は、シャッターカーテン４の閉動作時には繰り返し行われる。
【００４４】
閉操作スイッチ９ｂが押圧操作されて閉操作信号が入力されると、ステップＳ１１において作動制御部１１は、第２出力端子ＯＵＴ２からＨレベルの信号を出力してモータ７を逆回転させ、シャッターカーテン４を閉動作させる。そして、ステップＳ１２において作動制御部１１は、パルスセンサ１６から入力されるパルス信号の計数（減算）を開始する。
【００４５】
また、ステップＳ１３において作動制御部１１は、所定時間ΔＴ毎に、モータ７の作動電流値Ｃをメモリ１１ａに記録する。ここで、作動制御部１１は、今回検出したモータ７の作動電流値Ｃをメモリ１１ａに記録する。すなわち、このステップＳ１３において作動制御部１１は、電流値記録処理を行う。
【００４６】
ステップＳ１４において作動制御部１１は、パルス信号の計数値が「０」であるか否かを判断する。そして、作動制御部１１は、計数値が「０」であると判断した場合、すなわちシャッターカーテン４が下限位置に達したと判断した場合には、ステップＳ１５の処理へ移行する。
【００４７】
このステップＳ１５において作動制御部１１は、ステップＳ１３においてメモリ１１ａに記録した今回の作動電流値Ｃを、基準電流値Ｃｂとして設定する。つまり、作動制御部１１は、既に設定されている基準電流値Ｃｂを作動電流値Ｃに更新する。このため、次回の挟持有無検出制御時においては、今回検出された最新の作動電流値Ｃに基づいて挟持有無検出が行われる。すなわち、このステップＳ１５において作動制御部１１は、基準電流値Ｃｂの最新化処理を行う。そして、このステップＳ１５の処理を完了すると、作動制御部１１は、ステップＳ２０の処理へ移行してモータ７の駆動を停止させ、ここでの処理を一旦終了する。つまり、この場合、作動制御部１１は、シャッターカーテン４が順調に全閉状態になったと判断してシャッターカーテン４の閉動作を終了する。
【００４８】
一方、ステップＳ１４において作動制御部１１は、該計数値が「０」ではないと判断した場合、すなわちシャッターカーテン４が下限位置に達していない場合には、ステップＳ１６の処理へ移行する。
【００４９】
このステップＳ１６において作動制御部１１は、ステップＳ１３で記録した今回の作動電流値Ｃと前記基準電流値Ｃｂとの差分（電流値差分ΔＣ）が、メモリ１１ａに予め記録されている前記閾値ＴＨよりも大きいか否かを判断する。そして、作動制御部１１は、電流値差分ΔＣが閾値ＴＨ以下であると判断した場合には再びステップＳ１４の処理へ移行し、該電流値差分ΔＣが該閾値ＴＨよりも大きいと判断した場合にはステップＳ１７の処理へ移行する。
【００５０】
ステップＳ１７において作動制御部１１は、パルス信号の計数値が「０」に近似しているか否かを判断する。そして、作動制御部１１は、パルス信号の計数値が「０」に近似していると判断した場合、すなわちシャッターカーテン４が下限位置近辺に位置している状態で前記電流値差分ΔＣが前記閾値ＴＨよりも大きいと判断した場合には、シャッターカーテン４が下限位置に到達していると認識してステップＳ１５の処理へ移行する。つまり、この場合においても、作動制御部１１は、今回の作動電流値Ｃを、次回の挟持有無検出制御時に利用する基準電流値Ｃｂとして設定し、シャッターカーテン４が順調に全閉状態になったと判断してシャッターカーテン４の閉動作を終了する。なお、『計数値が「０」に近似』とは、パルス信号の計数値が「０」に近い値であることを示し、本実施形態においては計数値が「−２０」〜「２０」の範囲内である場合を示す。
【００５１】
一方、ステップＳ１７において作動制御部１１は、該計数値が「０」に近似していないと判断した場合、すなわちシャッターカーテン４が下限位置近辺に位置していない状態であるにも拘わらず作動電流値Ｃが比較電流値以上であると判断した場合には、シャッターカーテン４によって異物を挟み込んでいると認識してステップＳ１８の処理へ移行する。
【００５２】
ステップＳ１８において作動制御部１１は、第２出力端子ＯＵＴ２からＬレベルの信号を出力するとともに第１出力端子ＯＵＴ１からＨレベルの信号を出力することによりモータ７を反転（正回転）駆動させ、シャッターカーテン４を開方向へ移動させる。そして、ステップＳ１９において作動制御部１１は、メモリ１１ａに今回記録した作動電流値Ｃをクリアする。つまり、作動制御部１１は、シャッターカーテン４の閉動作中に異物の挟み込みを検出した場合には、基準電流値Ｃｂの更新処理（ステップＳ１５の処理）が行われず、次回の挟持有無検出制御時においては、前回以前に設定された最新の基準電流値Ｃｂに基づいて挟持有無検出が行われることとなる。このため、シャッターカーテン４が正常に移動している状態での作動電流値Ｃが経年変化によって変化した場合でも、挟み込みの誤検出を生じ難くなる。
【００５３】
そして、作動制御部１１は、シャッターカーテン４が開方向へ所定量移動させた時点でステップＳ２０の処理へ移行してモータ７の駆動を停止させ、ここでの処理を一旦終了する。すなわち、作動制御部１１は、シャッターカーテン４によって異物を挟み込んだと判断した場合には、シャッターカーテン４を開方向へ所定量移動させて異物の挟持状態を解除する。
【００５４】
＜３＞計数値補正制御
シャッターカーテン４の開動作時には、作動制御部１１は、図５に示すフローチャートに従って計数値補正制御のための処理を行う。なお、この処理は、シャッターカーテン４の開動作時には繰り返し行われる。
【００５５】
開操作スイッチ９ａが押圧操作されて開操作信号が入力されると、ステップＳ２１において作動制御部１１は、第１出力端子ＯＵＴ１からＨレベルの信号を出力してモータ７を正回転させ、シャッターカーテン４を開動作させる。そして、ステップＳ２２において作動制御部１１は、パルスセンサ１６から入力されるパルス信号のパルス数の計数（加算）を開始する。
【００５６】
ステップＳ２３において作動制御部１１は、所定時間（例えば２秒間）内におけるパルス数Ｐｃが、メモリ１１ａに記録されている前記規定値ＰＨよりも小さいか否かを判断する。そして、作動制御部１１は、該パルス数Ｐｃが規定値ＰＨよりも小さくなったと判断すると、ステップＳ２４の処理へ移行する。なお、作動制御部１１は、該パルス数Ｐｃが規定値ＰＨよりも小さくなったと判断するまでは、ここでの処理を継続する。
【００５７】
ステップＳ２４において作動制御部１１は、メモリ１１ａに記録されている上限値（初期設定値）とパルス信号の計数値との差分（計数値差分）ΔＰが、メモリ１１ａに予め記録されている所定の許容値ＰＴよりも大きいか否かを判断する。なお、本実施形態において許容値ＰＴは、上限値の１／２０程度の値に設定されている。すなわち、例えば上限値が「２００００」の場合、該許容値は「１００」程度に設定されている。よってこの場合、作動制御部１１は、パルス信号の計数値が「１９９００」未満であるか否かを判断することとなる。その結果、前記計数値差分ΔＰが前記許容値ＰＴよりも大きいと判断した場合、作動制御部１１は、シャッターカーテン４が上限位置に達していないにも拘わらずパルス数Ｐｃが規定値ＰＨよりも小さくなっていることから、シャッターカーテン４が正常に開動作していないと認識してステップＳ２５の処理へ移行する。そして、ステップＳ２５において作動制御部１１は、第１出力端子ＯＵＴ１からＬレベルの信号を出力するとともに第２出力端子ＯＵＴ２からＨレベルの信号を出力することによりモータ７を反転（逆回転）駆動させ、シャッターカーテン４を閉方向へ移動させる。その後、作動制御部１１は、シャッターカーテン４が閉方向へ所定量移動させた時点でステップＳ２６の処理へ移行してモータ７の駆動を停止させ、ここでの処理を一旦終了する。すなわち、作動制御部１１は、シャッターカーテン４が正常に開動作していないと判断した場合には、シャッターカーテン４を閉方向へ所定量移動させる。このため、シャッターカーテン４に異物が引っかかっている場合などに、該異物が引っかかったままシャッターカーテン４を開動作させてしまうことが防止される。
【００５８】
一方、ステップＳ２４において計数値差分ΔＰが許容値ＰＴ以下であると判断した場合、作動制御部１１は、シャッターカーテン４が全開位置（上限位置）に達したと認識し、ステップＳ２７の処理へ移行してモータ７の駆動を停止させる。そして、続くステップＳ２８において作動制御部１１は、このモータ７の停止時における計数値を上限値に補正してここでの処理を一旦終了する。具体的には、作動制御部１１は、例えば上限値が「２００００」である場合には、たとえ計数値が「２０１００」であったとしても「２００００」に補正する。つまり、上限位置における実際の計数値と初期設定値との間にズレが生じている場合には、実際の計数値が初期設定値に補正される。このため、シャッターカーテン４の開閉動作を繰り返すうちに、上限位置でのパルス信号の計数値と上限値との間にズレが生じても、そのズレを補正することができる。
【００５９】
したがって、本実施形態によれば以下のような効果を得ることができる。
（１）設定操作スイッチ９ｃが押圧操作されると、制御装置８の作動制御部１１による自動初期設定制御によってモータ７が駆動され、シャッターカーテン４が自動的に開閉動作される。そして、モータ７の回転に応じて出力されるパルス信号が全閉状態を基準として計数され、全開位置における該パルス信号の計数値がメモリ１１ａに記録される。すなわち、シャッターカーテン４の上限位置（全開位置）及び下限位置（全閉位置）と対応するパルス信号の計数値が自動的にメモリ１１ａに記録される。このため、開口部２への設置直後などに電動シャッター１の初期設定を行うにあたっては、設定操作スイッチ９ｃを押圧操作するだけでよく、これにより、シャッターカーテン４の全閉位置や全開位置での位置決めが行われる。つまり、シャッターカーテン４の全閉位置や全開位置での位置決めを容易且つ正確に行うことができる。
【００６０】
また、シャッターカーテン４による異物の挟み込みは該モータ７の作動電流値に基づいて検出されるため、モータ７に加わる負荷の微少な変化を容易に検出することが可能となる。そして、こうした挟み込み検出のための基準電流値Ｃｂも、自動初期設定制御によって自動的に設定されるため、基準電流値の設定作業を容易に行うことができる。
【００６１】
（２）自動初期設定制御においては、シャッターカーテン４が全閉位置から全開位置となるようにモータ７が駆動され、該シャッターカーテン４の全閉位置を基準としてパルス数が計数（加算）される。そして、シャッターカーテン４が全開位置に達すると、その全開位置での計数値がメモリ１１ａに記録される。その後、シャッターカーテン４が閉方向に移動され、該シャッターカーテン４が全閉位置に達するまでの間におけるモータ７の作動電流値Ｃが基準電流値Ｃｂとして設定される。このため、シャッターカーテン４の一連の開閉動作によって初期設定を行うことができる。
【００６２】
（３）シャッターカーテン４の全開位置から全閉位置までの動作時毎にモータ７の作動電流値Ｃが記録され、該シャッターカーテン４が異物を挟み込むことなく全閉状態となった場合には、その記録された作動電流値Ｃが基準電流値Ｃｂとして更新される。そして、次回の挟持有無検出制御時において作動制御部１１は、その更新された基準電流値Ｃｂに基づいて挟持有無検出を行う。つまり、作動制御部１１は、モータ７の最新の作動電流値Ｃに基づいてシャッターカーテン４による異物の挟み込みの有無を検出する。このため、シャッターカーテン４が正常に移動している状態でのモータ７の作動電流値Ｃが経年変化によって変化した場合でも、挟み込みの誤検出を生じ難くなる。
【００６３】
（４）シャッターカーテン４の閉動作時に、該シャッターカーテン４による異物の挟み込みが検出された場合には、そのときのモータ７の作動電流値Ｃは基準電流値Ｃｂとして更新されない。つまり、異物を挟み込んだ状態でのモータ７の作動電流値Ｃが、次回の挟持有無検出時の基準電流値Ｃｂになってしまうことが防止される。このため、挟持有無検出の精度が低下してしまうのを抑止することができる。
【００６４】
（５）シャッターカーテン４の開閉動作により、全開位置でのパルス信号の計数値が上限値（初期設定値）と異なった場合には、作動制御部１１による計数値補正制御により、該計数値が上限値に補正される。つまり、例えばシャッターカーテン４の開閉動作を繰り返すうちに上限位置でのパルス信号の計数値が上限値と異なってしまった場合であっても、該計数値が上限値に補正される。つまり、シャッターカーテン４の開閉動作を繰り返すうちに、上限位置でのパルス信号の計数値と上限値との間にズレが生じても、そのズレを補正することができる。本実施形態において作動制御部１１は、パルス信号の計数値が「０」となったことを全閉位置として認識してシャッターカーテン４の移動を停止させるようになっている。このため、こうした計数値補正制御により、全閉位置の位置決めの際に、実際の全閉位置に満たない位置に位置決めされてしまったり、実際には全閉状態であるにも拘わらずシャッターカーテン４の閉動作が継続されてしまったりするのを防止することができる。
【００６５】
（６）作動制御部１１は、パルス信号の計数値がメモリ１１ａに記録された上限値（初期設定値）よりも小さい場合には、上限値と計数値との差分（計数値差分ΔＰ）が所定の許容値ＰＴよりも小さい場合に計数値を上限値に補正し、該計数値差分ΔＰが該許容値ＰＴよりも大きい場合にあってはシャッターカーテン４の移動に異常が生じたと判断する。このため、作動制御部１１は、計数値を上限値に補正すべきであるか、シャッターカーテン４の移動に異常が生じたと判断すべきであるかを確実に認識することができる。
【００６６】
なお、本発明の実施形態は以下のように変更してもよい。
・  前記実施形態において作動制御部１１は、自動初期設定制御を行う際に、シャッターカーテン４を全閉位置（下限位置）から全開位置（上限位置）まで移動させ、全閉位置を基準としてパルス信号の計数を行うようになっている。しかし、作動制御部１１は、シャッターカーテン４を全開位置から全閉位置まで移動させ、全開位置を基準としてパルス信号の計数を行うようになっていてもよい。
【００６７】
・  前記実施形態において作動制御部１１は、シャッターカーテン４の全閉状態で設定操作スイッチ９ｃが押圧操作された際に、自動初期設定制御を行うようになっている。このため、作業者は、自動初期設定制御を行わせる際に、シャッターカーテン４を全閉位置まで移動させる必要がある。しかし、作動制御部１１は、設定操作スイッチ９ｃが押圧操作された際に、シャッターカーテン４を自動的に閉方向へ移動させ、シャッターカーテン４が全閉状態となった時点で前記自動初期設定制御を行うようになっていてもよい。すなわち、作動制御部１１は、シャッターカーテン４の全閉位置も自動的に設定するようになっていてもよい。なお、この場合、作動制御部１１は、モータ７の作動電流値Ｃと基準電流値Ｃｂとの差分（電流値差分ΔＣ）が前記閾値ＴＨよりも大きくなった際に、シャッターカーテン４が全閉位置に達したと判断すればよい。このようにすれば、作業者がシャッターカーテン４を全閉位置まで移動させる必要がなくなり、自動初期設定制御をより簡単に行うことができる。
【００６８】
・  前記実施形態では、自動初期設定制御により、シャッターカーテン４の全閉位置及び全開位置と対応するパルス信号の計数値が設定されるようになっている。しかし、これら計数値は、初期パラメータとしてメモリ１１ａに予め記録されていたり、外部入力によってメモリ１１ａに記録可能となっていたりしてもよい。具体的には、例えば、パルス信号の１周期におけるシャッターカーテン４の移動量と開口部２の高さとの関係からパルス信号の最大パルス数を算術的に求め、その算出した最大パルス数を、全開位置と対応するパルス信号の計数値として設定する。なお、全閉位置と対応するパルス信号の計数値は、前記実施形態と同様に「０」に設定する。このようにすれば、自動初期設定制御時において作動制御部１１は、上下限設定処理（ステップＳ１〜Ｓ５の処理）を行う必要がなくなる。よって、作動制御部１１の処理負担を軽減させることができる。また、基準電流値Ｃｂについても、モータ７の性能やシャッターカーテン４を移動させるために必要なトルクなどから算術的に求められた値を、基準電流値Ｃｂとしてメモリ１１ａに予め設定されていたり、外部入力によってメモリ１１ａに記録可能となっていたりしてもよい。このようにすれば、自動初期設定処理自体を不要にすることができる。但し、これらの場合、各パラメータは算術的に求められた理論値であるため、前記実施形態における自動初期設定制御を行うことによって設定された値ほどには高い精度で各値を設定することは少々困難となる。
【００６９】
・  前記実施形態において作動制御部１１は、挟持有無検出制御時に基準電流値Ｃｂの最新化処理（ステップＳ１５の処理）を行い、今回検出したモータ７の作動電流値Ｃを基準電流値Ｃｂとして設定し、次回の挟持有無検出時にはその更新された基準電流値Ｃｂを用いるようになっている。しかし、作動制御部１１は、今回検出したモータ７の作動電流値Ｃだけでなく、過去何回か（例えば５回）の作動電流値Ｃの平均値を算出し、該算出値を基準電流値Ｃｂとして設定するようになっていてもよい。このようにすれば、突発的な変動を生じた作動電流値Ｃを基準電流値Ｃｂとして設定してしまうのをより確実に防止することができる。
【００７０】
・  前記実施形態において作動制御部１１は、モータ７の最新の作動電流値Ｃを基準電流値Ｃｂに設定し、その最新の基準電流値Ｃｂを用いてシャッターカーテン４の挟持有無検出を行うようになっている。しかし、作動制御部１１は、こうした基準電流値Ｃｂの最新化処理を行わないようになっていてもよく、最初に設定された基準電流値Ｃｂを用いてシャッターカーテン４の挟持有無検出を行うようになっていてもよい。このようにすれば、作動制御部１１の処理負担及びメモリ１１ａの容量負担を軽減させることができる。
【００７１】
・  前記実施形態において作動制御部１１は、上限値補正制御を行うようになっている。しかし、作動制御部１１は、こうした上限値補正制御を行わないようになっていてもよい。
【００７２】
・  前記実施形態において作動制御部１１は、シャッターカーテン４の開動作時にあっては、所定時間（例えば２秒間）内におけるパルス数Ｐｃが、メモリ１１ａに記録されている前記規定値ＰＨよりも小さいか否かにより、全開状態か否かの判断と、シャッターカーテン４の移動に異常が生じたか否かの判断を行うようになっている。しかし、作動制御部１１は、シャッターカーテン４の開動作時においても、閉動作時と同様に、モータ７の作動電流値Ｃに基づいて全開状態か否かの判断と、シャッターカーテン４の移動に異常が生じたか否かの判断を行うようになっていてもよい。また、作動制御部１１は、これらの判断のうちの一方のみを、モータ７の作動電流値Ｃに基づいて行うようになっていてもよい。
【００７３】
・  前記実施形態において作動制御部１１は、シャッターカーテン４の閉動作時にあっては、パルス信号の計数値が「０」となった際に、シャッターカーテン４が全閉位置に達したと判断してモータ７の駆動を停止するようになっている。しかし、作動制御部１１は、パルス信号の計数値が「０」付近となっている状態で前記電流値差分ΔＣが前記閾値ＴＨよりも大きいと判断した場合にのみ、シャッターカーテン４が全閉位置に達したと判断するようになっていてもよい。
【００７４】
・  前記実施形態において電動シャッター１は、開口部２の上部に配設され、シャッターカーテン４を上下方向に移動させて開閉するようになっている。しかし、電動シャッター１は、シャッターカーテン４を左右方向に移動させて開閉する態様となっていてもよい。
【００７５】
次に、特許請求の範囲に記載された技術的思想のほかに、前述した実施形態によって把握される技術的思想を以下に列挙する。
（１）  請求項１または請求項２に記載の電動シャッターの駆動制御装置において、前記シャッターカーテンの閉動作時に前記モータの作動電流値を検出する電流値検出手段と、前記シャッターカーテンの全開位置から全閉位置までの動作時毎における前記モータの作動電流値を記録する記録手段と、前記記録手段に記録された前記モータの最新の作動電流値に基づいて、前記シャッターカーテンによる異物の挟み込みの有無を検出する挟持有無検出手段とを備えること。
【００７６】
（２）  シャッターカーテンを移動させるモータの駆動を制御し、該モータの回転に応じて出力されるパルス信号の計数値に基づいて該シャッターカーテンの全閉位置及び全開位置の位置決めを行う電動シャッターの駆動制御装置であって、所定の操作が行われた際に初期設定モードとなり、その初期設定モードにおいては、前記モータを自動的に駆動させ、前記パルス信号のパルス数を、前記シャッターカーテンの全開位置及び全閉位置のうちの一方の位置からなる第１位置を基準として計数する計数処理と、前記第１位置とは逆の位置からなる第２位置を、前記モータの駆動状態に基づいて判断する位置判断処理と、前記パルス信号の前記第２位置における計数値を記録する計数値記録処理とを行うことにより、前記シャッターカーテンの全開位置及び全閉位置と対応する計数値を初期設定値として自動的に設定する自動初期設定手段を備えていることを特徴とする電動シャッターの駆動制御装置。
【００７７】
（３）  シャッターカーテンを移動させるモータの駆動を制御するとともに、閉動作時における該シャッターカーテンによる異物の挟み込みを前記モータの作動電流値に基づいて検出する挟み込み検出機能を有する電動シャッターの駆動制御装置であって、所定の操作が行われた際に初期設定モードとなり、その初期設定モードにおいては、前記シャッターカーテンが全開位置から全閉位置となるように前記モータを駆動させ、その間における該モータの作動電流値を記録する電流値記録処理を行うことにより、前記挟み込み検出のための基準電流値を自動的に設定する自動初期設定手段を備えていることを特徴とする電動シャッターの駆動制御装置。
【図面の簡単な説明】
【００７８】
【図１】本発明の一実施形態の電動シャッターの概略構成図。
【図２】同実施形態の電気的構成を概略的に示す回路図。
【図３】同実施形態の自動初期設定制御を示すフローチャート。
【図４】同実施形態の挟持有無検出制御を示すフローチャート。
【図５】同実施形態の計数値補正制御を示すフローチャート。
【符号の説明】
【００７９】
１…電動シャッター、４…シャッターカーテン、７…モータ、８…制御装置、１１…自動初期設定手段、計数手段、挟持有無検出手段、位置判断手段及び計数値補正手段としての作動制御部、１１ａ…記録手段としてのメモリ、１５…電流値検出手段としての電流検出器。
【図１】
2005083093.tif 000003
【図２】
2005083093.tif 000004
【図３】
2005083093.tif 000005
【図４】
2005083093.tif 000006
【図５】
2005083093.tif 000007